(57)【要約】【課題】一方の雨戸だけを閉状態の位置にロックでき、また、雨戸を全開状態の位置でロックできるとともに、転びを防止できる雨戸装置を提供する。【解決手段】雨戸５の下端部に下キャッチャー４５が、下枠３ｂに下キャッチャー受け４６が設けられるとともに、雨戸５の上端部に上キャッチャー４０が設けられ、上枠３ａに上キャッチャー受け４１が設けられている。雨戸５の開時に、下キャッチャー４５が下キャッチャー受け４６に係合し、雨戸５の閉時に、上キャッチャー４０が上キャッチャー受け４１に係合するので、一方の雨戸だけを閉状態の位置にロックでき、また、雨戸を全開状態の位置でロックできるとともに、転びを防止できる。【選択図】図８
2007120151.tif 000002
【特許請求の範囲】
【請求項１】
建物の開口部に設けられた窓の室外側に配置される上枠、下枠及び左右の縦枠からなる枠と、少なくとも前記上枠にスライドレールを介してスライド開閉自在に設けられる雨戸を備えた雨戸装置であって、
前記雨戸の下端部と前記下枠とのうちの一方に下係合部が設けられ、他方に該下係合部に係脱可能な下被係合部が設けられており、
前記雨戸の開時に、前記下係合部が前記下被係合部に係合し、前記雨戸を閉方向にスライドさせることによって、前記下係合部が前記下被係合部から外れることを特徴とする雨戸装置。
【請求項２】
前記雨戸の上端部と前記上枠とのうちの一方に上係合部が設けられ、他方に該上係合部に係脱可能な上被係合部が設けられており、
前記雨戸の閉時に、前記上係合部が前記上被係合部に係合し、前記雨戸を開方向にスライドせることによって、前記上係合部が前記上被係合部から外れることを特徴とする請求項１に記載の雨戸装置。
【発明の詳細な説明】
【技術分野】
【０００１】
本発明は、雨戸が両開きにスライドする雨戸装置に関する。
【背景技術】
【０００２】
従来、この種の雨戸装置の一例として、特許文献１に記載に記載のものが知られている。この雨戸装置は、建物の開口部に設けられた窓の室外側に配置される上枠、下枠及び左右の縦枠からなる枠と、少なくとも前記上枠にスライドレールを介して両開きにスライド開閉自在に設けられる雨戸とを備え、前記スライドレールは、少なくとも上枠に設けられた固定レールと、該固定レールに直接または間接的にスライド自在に支持された左右の可動レールとを有し、該可動レールが雨戸の背面部に設けられ、前記雨戸が全開時に両縦枠より外側に突出した状態に保持されるように構成されているものである。
この雨戸装置の一方の雨戸の合掌框には、鎌錠が設けられ、他方の雨戸の合掌框には施錠時に鎌錠から回動しながら突出する円弧状の鎌形ボルトを引っ掛けるための受座が設けられており、鎌形ボルトを受座に引っ掛けることによって施錠するようになっている。
【０００３】
【特許文献１】特開２００５−１２０７０９号公報
【発明の開示】
【発明が解決しようとする課題】
【０００４】
しかしながら、前記従来の雨戸装置では、一方の雨戸の合掌框に設けられた鎌錠の鎌形ボルトを、他方の雨戸の合掌框に設けられた受座に引っ掛けることによって施錠するようになっているので、つまり、両雨戸を同時の施錠する構成となっているので、一方の雨戸だけを開くとともに、他方の雨戸だけを閉状態の位置にロックすることができなかった。
また、雨戸を全開状態の位置でロックすることもできず、さらに、雨戸全開状態において、雨戸がその合掌部の下端部を支点として下方に回転するという転びも発生し易くなるという問題もある。
【０００５】
本発明は、このような事情に鑑みてなされたもので、一方の雨戸だけを閉状態の位置にロックでき、また、雨戸を全開状態の位置でロックできるとともに、転びを防止できる雨戸装置を提供することを目的とする。
【課題を解決するための手段】
【０００６】
前記目的を達成するために、本発明に係る請求項１に記載の雨戸装置は、建物の開口部に設けられた窓の室外側に配置される上枠、下枠及び左右の縦枠からなる枠と、少なくとも前記上枠にスライドレールを介してスライド開閉自在に設けられる雨戸を備えた雨戸装置であって、
前記雨戸の下端部と前記下枠とのうちの一方に下係合部が設けられ、他方に該下係合部に係脱可能な下被係合部が設けられており、
前記雨戸の開時に、前記下係合部が前記下被係合部に係合し、前記雨戸を閉方向にスライドさせることによって、前記下係合部が前記下被係合部から外れることを特徴とする。
【０００７】
請求項２に記載の雨戸装置は、請求項１に記載の発明において、前記雨戸の上端部と前記上枠とのうちの一方に上係合部が設けられ、他方に該上係合部に係脱可能な上被係合部が設けられており、
前記雨戸の閉時に、前記上係合部が前記上被係合部に係合し、前記雨戸を開方向にスライドせることによって、前記上係合部が前記上被係合部から外れることを特徴とする。
【発明の効果】
【０００８】
請求項１に記載の雨戸装置によれば、雨戸の全開時に、下係合部が下被係合部に係合するので、雨戸を開状態の位置でロックできる。また、下係合部が下被係合部に係合することによって、雨戸の下端部が保持されるので、雨戸の転びを防止できる。
また、雨戸を閉方向にスライドさせることによって、下係合部が下被係合部から外れるので、雨戸の開ロック状態を容易に解除できる。
【０００９】
請求項２に記載の発明によれば、雨戸の全開時には、雨戸を全開状態の位置でロックできるとともに、雨戸の転びを防止できる。
一方、雨戸の閉時には、上係合部が上被係合部に係合するので、一方の雨戸だけを閉状態の位置にロックできる。
また、雨戸を開方向にスライドせることによって、上係合部が上被係合部から外れるので、雨戸の閉ロック状態を容易に解除できる。
【発明を実施するための最良の形態】
【００１０】
以下、添付した図面を参照しながら、本発明の実施の形態を説明する。
（第１の実施の形態）
図１は本発明の実施の形態に係る雨戸装置を示す全閉時の室外側正面図、図２は同雨戸装置の全開時の室外側正面図、図３は図１の縦断面図、図４は図１の横断面図である。
【００１１】
これらの図において、１は雨戸装置であり、図示例の雨戸装置はユニット化された鎧戸セットとして形成されている。この雨戸装置１は、建物の開口部に設けられた窓２の室外側に配置される上枠３ａ、下枠３ｂ及び左右の縦枠３ｃ，３ｃからなる枠３と、少なくとも前記上枠３ａに上スライドレール４を介して両開きにスライド開閉自在に設けられる雨戸（例えば鎧戸、戸体ともいう。）５，５とを備えている。
前記窓２は、上げ下げ窓であり、上枠６ａ、下枠６ｂ及び左右の縦枠６ｃ，６ｄからなる枠内に、室外側の上障子７と、室内側の下障子８とを、上障子７は枠に固定して、下障子８は上下動自在に取り付けてなるものである。上枠６ａにはバランサ８ａが取り付けられており、このバランサ８ａによって下障子８は任意の高さ位置に停止可能となっている。
雨戸装置１の枠３は窓２の枠の外側に配置され、躯体外壁に固定されている。また、雨戸装置１の枠３は窓２の枠より外側に突出している。
なお、本実施の形態では、窓２は上げ下げ窓であるが、これに限らず、引違い窓等であってもよい。
【００１２】
雨戸装置１の枠３を構成する上枠３ａ、下枠３ｂ及び左右の縦枠３ｃ，３ｃは、例えばアルミ押出形材からなっている。枠３は、上枠３ａと下枠３ｂの両端部相互間に縦枠３ｃ，３ｃを挟み込んでネジ止めにより組み立ててなり、上枠３ａ及び下枠３ｂの両端部が露出する横通し組立構造が採用されている。上枠３ａ及び下枠３ｂの両端部には端部キャップが取り付けられている。前記枠３の上枠３ａ及び下枠３ｂが建物の躯体の外壁に固着具例えばネジ１１で固定されている。
各雨戸（戸体）５は、上框１４ａ、下框１４ｂ及び左右の縦框である合掌框１４ｃ，１４ｄと戸先框１４ｅからなる框組内にパネル１５を組込んで構成されている。
【００１３】
前記上スライドレール４は、上枠３ａに設けられた上固定レール４ａと、該上固定レール４ａに上中間レール４ｂを介してスライド自在に支持された左右の上可動レール４ｃとを有し、該上可動レール４ｃが雨戸５の背面部、すなわち上框１４ａの背面部（室内面）に設けられている。上枠３ａは下向きの凹溝１６を有しており、この凹溝１６内の室外面に上固定レール４ａがネジ１７で取り付けられている。また、雨戸５の上框１４ａの室内面に前記上可動レール４ｃが取り付けられている。そして、上スライドレール４により前記雨戸５は全開時に両縦枠３ｃより外側に突出した状態に保持されるように構成されている。
【００１４】
前記上固定レール４ａは、上枠３ａの略全長に対応する長さの一本のレールからなっている。上中間レール４ｂと上可動レール４ｃは、それぞれ上固定レール４ａの略半分の長さとされている。上固定レール４ａと上可動レール４ｃは、共に室内外方向の寸法を抑えた扁平形の横断面略Ｃ字状に形成され、内側（内部）に上中間レール４ｂを挟み込む（覆い包む）ように相対向して配置されている。上中間レール４ｂには固定レール４ａの上下の溝と、上可動レール４ｃの上下の溝にそれぞれ対向する４つの溝が形成されており、各対向する溝間にはボールベアリングとしてのボール（鋼球）２１が複数個ずつ設けられている。上固定レール側には、上固定レール側の上下のボール２１を固定レール４ａの長手方向に所定の間隔で回転自在に保持する上固定レール側のボールリテーナー２２がレール長手方向に移動自在に設けられている。上可動レール側には、上可動レール側の上下のボール２１を上可動レール４ｂの長手方向に所定の間隔で回転自在に保持する上可動レール側のボールリテーナー２３がレール長手方向に移動自在に設けられている。
【００１５】
上可動レール４ｃの伸張時（雨戸の全開時）にその最大伸張位置を規定するために、上可動レール４ｃの後端部（収縮側）には、上可動レール側のボールリテーナー２３の後端部に当接して上可動レール４ｃの伸張方向への移動を停止させる第１ストッパー（図示略）が設けられ、上中間レール４ｂの先端部（伸張側）には上可動レール側のボールリテーナー２３の先端部に当接して当該ボールリテーナー２３の伸張方向への移動を停止させる第２ストッパー（図示略）が設けられている。また、上中間レール４ｂの後端（収縮側）には上固定レール側のボールリテーナー２２の後端部に当接して上中間レール４ｂの伸張方向への移動を停止させる第３ストッパー（図示略）が設けられ、上固定レール４ａの先端部（伸張側）には上固定レール側のボールリテーナー２２の先端部に当接して当該ボールリテーナー２２の伸張方向への移動を停止させる第４ストッパー（図示略）が設けられている。
【００１６】
なお、上可動レール４ｃの収縮時（雨戸の全閉時）には、左右の上可動レール４ｃ同士が当接して収縮方向への移動が停止されるようになっている。雨戸５の上部である上框１４ａには、上スライドレール４の上部、特に雨戸全開時に上枠３ａの外側方へ突出される上中間レール４ｂ及び上可動レール４ｃの上部を覆う覆い部（雨避け）２５が設けられ、上スライドレール４のボールベアリングに注入された潤滑材例えばグリースが雨で洗い流されるのを防止している。
【００１７】
雨戸装置１の下枠３ｂは上向きの凹溝２８を有しており、この凹溝２８には雨戸５の下端部が収容されており、この雨戸５の下端部が下スライドレール３０を介してスライド開閉自在に支持されている。
この下スライドレール３０は、図５および図６に示すように、下枠３ｂに取り付けられた下固定レール３０ａと、該下固定レール３０ａに下中間レール３０ｂを介してスライド自在に支持された下可動レール３０ｃとを有しており、下可動レール３０ｃが雨戸５の下端背面部に取り付けられている。前記下中間レール３０ｂは、下中間レール本体３０ｄと、この中間レール本体３０ｄの一方の側面に取り付けられて、下固定レール３０ａを転動可能な複数の第１戸車３０ｅと、中間レール本体３０ｄの他方の側面に取り付けられて、下可動レール３０ｃを相対的に転動可能な複数の第２戸車３０ｆとを備えている。そして、下スライドレール３０によっても雨戸５は全開時に両縦枠３ｃより外側に突出した状態に保持されるように構成されている。つまり、雨戸５はスライドレール４と下スライドレール３０によって、全開時に両縦枠３ｃより外側に突出した状態に保持されるように構成されている。
【００１８】
このように、雨戸５が上下のスライドレール４，３０によって、全開時に両縦枠３ｃ，３ｃより外側に突出した状態に保持されるので、雨戸全開時における雨戸５のバタツキや転びを防止でき、また、雨戸５の開閉力を低減できる。
また、第１戸車３０ｅと第２戸車３０ｆとは、その軸を上下に若干ずらして配置されている。つまり、第１戸車３０ｅは第２戸車３０ｆより中間レール本体３０ｄに若干上方位置で連結されている。このように構成することによって、雨戸全開時において、雨戸５の戸先框１４ｅ側に下方に向かう荷重（重力）が作用した場合における雨戸５の傾き（転び）を抑制できる。
【００１９】
また、図４に示すように、両開きにスライド開閉する雨戸５，５のうち、一方の雨戸５の合掌框（合掌部）１４ｃには上下（図４では紙面と直交する方向）にスライド可能なロッド３８を備えた落とし錠３５が設けられている。また、他方の雨戸５の合掌框（合掌部）１４ｄの下端部には、落とし錠３５側に延出するガイド部材３６が設けられており、このガイド部材３６には挿通孔３６ａが形成されている。一方、雨戸装置１の下枠３ｂには、落とし錠受け３７が設けられている。
【００２０】
このような落とし錠３５を備えた雨戸装置１では、両開きにスライド開閉自在に設けられる両雨戸５，５の合掌框１４ｃ，１４ｄを互いに当接して雨戸５，５を閉じると、他方の雨戸５の合掌部１４ｄに設けられたガイド部材３６が一方の雨戸５の合掌框１４ｃに設けられた落とし錠３５側に位置して、落とし錠３５のロッド３８の直下にガイド部材３６の挿通孔３６ａが位置する。また、この挿通孔３６ａの直下に、落とし錠受け３７が位置する。
【００２１】
この状態で、落とし錠３５のロッド３８を指で押し下げて下降操作すると、該ロッド３８がガイド部材３６の挿通孔３６ａを挿通したうえで、落とし錠受け３７に挿入されて、落とし錠受け３７に固定される。これによって雨戸５，５が閉じた状態で施錠される。
また、解錠する場合は、落とし錠３５のロッド３８を指で引き上げて上昇操作して、該ロッド３８を落とし錠受け３７とガイド部材３６の挿通孔３６ａから抜き取ればよい。
このように、両開きの雨戸５，５においても、一つの落とし錠３５で施錠・解錠を行えるので、コストを抑えるとともに、施錠・解錠操作が簡単になる。
【００２２】
また、図３に示すように、雨戸５の上框１４ａには、上キャッチャー（上係合部）４０が設けられており、上枠３ａには、この上キャッチャー４０に係脱可能に係合する上キャッチャー受け（上被係合部）４１が設けられている。
上キャッチャー４０はナイロン等の樹脂によって形成されており、図５に示すように、平面視略矩形状のキャッチャー本体４０ａと、このキャッチャー本体４０ａから突出するようにして形成された係合突部４０ｂとから構成されている。
キャッチャー本体４０ａは、その中央部に穴４０ｃが形成されており、この穴４０ｃにビス４２を挿通して、上框１４ａにねじ込むことによって該上框１４ａに固定されている。
係合突部４０ｂはその先端部に頭部４０ｄを有しており、この頭部４０ｄは、最大肉厚部４０ｅから先端に向かうほど細く（薄く）なるように、かつ最大肉厚部４０ｅから基端に向かうほど細く（薄く）なるように形成されている。また、頭部４０ｄの下面には凸部４０ｆが形成されており、この凸部４０ｆは上框１４ａに形成された凹部に嵌合されている。
【００２３】
上キャッチャー受け４１はナイロン等の樹脂によって形成されており、図６に示すように、取付部４１ａと、この取付部４１ａに設けられた受部４１ｂとで構成されている。
取付部４１ａは平板状に形成されており、その両端部には長穴４１ｃ，４１ｃが形成されている。この長穴４１ｃ，４１ｃにビス４３，４３を挿通して、上枠３ａにねじ込むことによって、取付部４１ａが上枠３ａに固定されている（図８参照）。
受部４１ｂは、取付部４１ａに延出形成された一対のアーム４１ｄ，４１ｄと、このアーム４１ｄに軸周りに回転可能に取り付けられた上下一対のローラ４１ｅ，４１ｅとを備えている。
【００２４】
一方のアーム４１ｄに取り付けられたローラ４１ｅ，４１ｅと、他方のアーム４１ｄに取り付けられたローラ４１ｅ，４１ｅとは、所定の隙間をもって互いに対向している。そして、対向するローラ４１ａ，４１ａに、前記上キャッチャー４０の頭部４０ｄが挿入してくると、該ローラ４１ａ，４１ａが頭部４０ｄを相対的に転動しながら、一対のアーム４１ｄ，４１ｄによって弾性的に外側に拡がっていき（離間していき）、頭部４０ｄの最大肉厚部４０ｅが通り過ぎると、ローラ４１ｅ，４１ｅが一対のアーム４１ｄの弾性復帰力によって、互いに接近して頭部４０ｄの根元に係脱可能に係合するようになっている。
【００２５】
そして、上記のような構成の上キャッチャー４０は、図８に示すように、その係合突部４０ｂの頭部４０ｄを、上キャッチャー受け４１側に向けて、雨戸５の上框１４ａにビス４２によって取り付け固定されている。また、上キャッチャー受け４１は、その受部４１ｂのローラ４１ｅを、上キャッチャー４０側に向けて、上枠３ａにビス４３によって取り付け固定されている。
また、上キャッチャー４０と上キャッチャー受け４１とは、図７（ａ）に示す雨戸５，５の全閉状態において、図８（ａ）に示すように、上キャッチャー４０の頭部４０ｄが上キャッチャー受け４１のローラ４１ｅ，４１ｅに係合するような位置に配置されている。
また、上キャッチャー４０と上キャッチャー受け４１とは、図７（ｂ）に示す雨戸５，５の全開状態において、図８（ｂ）に示すように、上キャッチャー４０の頭部４０ｄが上キャッチャー受け４１のローラ４１ｅ，４１ｅから外れるようになっている。
【００２６】
また、図３および図５（ｆ）に示すように、雨戸５の下框１４ｂには、下キャッチャー（下係合部）４５が設けられており、下枠３ｂには、この下キャッチャー４５に係脱可能に係合する下キャッチャー受け（下被係合部）４６が設けられている。
下キャッチャー４５は前記上キャッチャー４０と同様の構成であり、下キャッチャー受け４６は前記上キャッチャー受け４１と同様の構成であるので、その説明は省略する。
キャッチャー本体４０ａはビス４２を挿通して、下框１４ｂにねじ込むことによって該下框１４ｂに固定されている。また、頭部４０ｄの上面に形成された凸部４０ｆは下框１４ｂに形成された凹部に嵌合されている。
【００２７】
そして、下キャッチャー４５と下キャッチャー受け４６とは、図７（ａ）に示す雨戸５，５の全閉状態において、下キャッチャー４５の頭部４０ｄが下キャッチャー受け４６のローラ４１ｅ，４１ｅから外れるようになっている。
また、下キャッチャー４５と下キャッチャー受け４６とは、図７（ｂ）に示す雨戸５，５の全開状態において、下キャッチャー４５の頭部４６ｄが上キャッチャー受け４１のローラ４１ｅ，４１ｅに係合するような位置に配置されている。
【００２８】
そして、上記のような上下のキャッチャー４０，４５と、上下のキャッチャー受け４１，４６とを備えた雨戸装置１では、雨戸５，５を開方向に向けて開くようにスライドさせると、該雨戸５，５の全開時に、下キャッチャー４５の頭部４０ｄが、下キャッチャー受け４６のローラ４１ｅ，４１ｅ間に挿入してきて、該ローラ４１ａ，４１ａが頭部４０ｄを相対的に転動しながら、一対のアーム４１ｄ，４１ｄによって弾性的に外側に拡がっていき（離間していき）、頭部４０ｄの最大肉厚部４０ｅが通り過ぎると、ローラ４１ｅ，４１ｅが一対のアーム４１ｄの弾性復帰力によって、互いに接近して頭部４０ｄの根元に係脱可能に係合する。
【００２９】
このように、雨戸５，５の全開時に、下キャッチャー４５が下キャッチャー受け４６に係合するので、雨戸５，５を開状態の位置でロックできる。また、下キャッチャー４５が下キャッチャー受け４６に係合することによって、雨戸５，５の下端部が保持されるので、雨戸５，５の転びを防止できる。
また、雨戸５，５を閉方向にスライドさせると、下キャッチャー４５の頭部４０ｄが下キャッチャー受け４６のローラ４１ｅ，４１ｅを外側に押し開きながら該ローラ４１ｅ，４１ｅから外れる。
このように、下キャッチャー４５が下キャッチャー受け４６から外れるので、雨戸の開ロック状態を容易に解除できる。
【００３０】
また、雨戸５，５を閉方向に向けて閉じるようにスライドさせていくと、該雨戸５，５の全閉時に、上キャッチャー４０の頭部４０ｄが、上キャッチャー受け４１のローラ４１ｅ，４１ｅ間に挿入してきて、該ローラ４１ａ，４１ａが頭部４０ｄを相対的に転動しながら、一対のアーム４１ｄ，４１ｄによって弾性的に外側に拡がっていき（離間していき）、頭部４０ｄの最大肉厚部４０ｅが通り過ぎると、ローラ４１ｅ，４１ｅが一対のアーム４１ｄの弾性復帰力によって、互いに接近して頭部４０ｄの根元に係脱可能に係合する。
【００３１】
このように、雨戸５，５の全閉時に、上キャッチャー４０が上キャッチャー受け４１に係合するので、雨戸５，５を閉状態の位置で別々にロックできる。したがって、一方の雨戸５だけを閉状態の位置にロックできる。
また、雨戸５，５を開方向にスライドさせると、上キャッチャー４０の頭部４０ｄが上キャッチャー受け４１のローラ４１ｅ，４１ｅを外側に押し開きながら該ローラ４１ｅ，４１ｅから外れる。
このように、上キャッチャー４０が上キャッチャー受け４１から外れるので、雨戸５，５の閉ロック状態を容易に解除できる。
【００３２】
（第２の実施の形態）
図９および図１０は本発明の第２実施の形態を示すものである。本実施の形態では、本発明の雨戸装置を両開きにスライド開閉自在に設けられる４枚建ての雨戸について適用したものである。なお、第１実施の形態の雨戸装置１と共通部分には同一符号を付してその説明を省略ないし簡略化する。
図９および図１０に示すように、本実施の形態の雨戸装置５１は、建物の開口部に設けられた窓５２の室外側に配置される上枠５３ａ、下枠５３ｂ及び左右の縦枠５３ｃ，５３ｃからなる枠５３と、上枠５３ａと下枠５３ｂ間に引違いで左右両開きに開閉可能に設けられる４枚建ての内外の雨戸５４，５４，５５，５５とを備えている。前記窓５２は引違い窓サッシであり、上枠５２ａ、下枠５２ｂ及び左右の縦枠５２ｃ，５２ｃからなる枠内に引違いにスライド開閉自在に設けられた内外の障子５７，５８とを備えている。
【００３３】
雨戸装置５１の枠５３は、上枠５３ａと下枠５３ｂの両端部相互間に縦枠５３ｃ，５３ｃを挟み込んでネジ止めにより組み立ててなり、上枠５３ａ及び下枠５３ｂの両端部が露出する横通し組立構造が採用されている。上枠５３ａ及び下枠５３ｂの両端部には端部キャップが取り付けられている。前記枠５３の上枠５３ａ及び下枠５３ｂが建物の躯体の外壁に固着具例えばネジ１１で固定されている。なお、上枠５３ａと下枠５３ｂは、前記雨戸装置１の上枠３ａと下枠３ｂより外側に突出している。
また、雨戸装置５１は、閉鎖時に中央で突合される左右一対の外雨戸５５，５５と、両側の一対の内雨戸５４，５４とからなる、内−外−外−内の配置構成になっている。内外の雨戸５４，５５は、前記雨戸５と同様に、上框１４ａ、下框１４ｂ及び左右の縦框である合掌框１４ｃ，１４ｄと戸先框１４ｅからなる框組内にパネル１５を組込んで構成されている。
【００３４】
前記上枠５３ａには、内雨戸５４の上部をスライド可能に支持する内雨戸用の上スライドレール５６ａと、外雨戸５５の上部をスライド可能に支持する外雨戸用の上スライドレール５６ｂとが設けられており、これら内雨戸用の上スライドレール５６ａ及び外雨戸用の上スライドレール５６ｂを介して内雨戸５４と外雨戸５５が全開時に重なった状態で両縦枠５３ｃより外側（外側方）に突出した状態に保持されるようになっている。
前記上スライドレール５６ａ，５６ｂは、前記雨戸装置１の上スライドレール４と同様の構造であるので、これらの説明は省略する。
なお、外雨戸用の上スライドレール５６ｂは内雨戸５４の上部に設けてもよい。
【００３５】
また、前記下枠５３ｂには、内雨戸５４の下部をスライド可能に支持する内雨戸用の下スライドレール６０が設けられ、内雨戸５４の下部には外雨戸５５の下部をスライド可能に支持する外雨戸用の下スライドレール６１が設けられられている。
前記下スライドレール６０，６１は、前記雨戸装置１の下スライドレール３０と同様の構造であるので、これらの説明は省略する。
【００３６】
このような雨戸装置５１では、内雨戸５４が上枠５３ａに内雨戸用の上スライドレール５６ａを介してスライド開閉自在に支持されているとともに下枠５３ｂにも内雨戸用の下スライドレール６０を介してスライド開閉自在に支持されており、外雨戸５５が上枠５３ａに外雨戸用の上スライドレール５６ｂを介してスライド開閉自在に支持されているとともに下枠５３ｂにも外雨戸用の下スライドレール６０を介してスライド開閉自在に支持されており、内雨戸用の上下スライドレール５６ａ，６０及び外雨戸用の上下スライドレール５６ｂ，６０を介して内雨戸５４と外雨戸５５が全開時に重なった状態で両縦枠５３ｃ，５３ｃより外側に突出した状態に保持されるので、４枚の雨戸全開時における雨戸５４，５５のバタツキや転びを防止でき、また、雨戸５４，５５の開閉力を低減できる。
【００３７】
また、本雨戸装置５１では、図７に示すように、両開きにスライド開閉する外雨戸５５，５５のうち、一方の雨戸５５の合掌框（合掌部）１４ｃに、前記雨戸装置１の落とし錠３５と同じ構造の落とし錠３５が設けられている。また、他方の外雨戸５５の合掌框（合掌部）１４ｄの下端部には、落とし錠３５側に延出する、前記雨戸装置１のガイド部材３６と同じ構造のガイド部材３６が設けられている。一方、雨戸装置５１の下枠５３ｂには、落とし錠受け３７が設けられている。なお、落とし錠３５、ガイド部材３６、落とし錠受け３７は、雨戸装置１の説明の際に既に説明したので省略する。
【００３８】
また、内雨戸５４の戸先框１４ｅ，１４ｅには、煙り返し５４ａ，５４ａが形成されており、この煙り返し５４ａ，５４ａは、雨戸全閉時に、縦枠５３ｃ，５３ｃに形成された受け部５４ｂ，５４ｂに係合するようになっており、これによって、それ以上の内側へのスライド移動が規制されるようになっている。
また、外雨戸５５，５５の戸先框１４ｅ，１４ｅには、煙り返し５５ａ，５５ａが形成されており、この煙り返し５５ａ，５５ａは、雨戸全閉時に、内雨戸５４の合掌框１４ｃ，１４ｄに形成された煙り返し５５ｂ，５５ｂに係合するようになっており、これによって、それ以上の内側へのスライド移動が規制されるようになっている。
したがって、前記落とし錠３５によって、外雨戸５５，５５を全閉状態で施錠すると、外雨戸５５，５５がロックされるとともに、煙り返し５４ａ，５４ａが受け部５４ｂ，５４ｂに係合するとともに、煙り返し５５ａ，５５ａが煙り返し５５ｂ，５５ｂに係合することによって、内雨戸５４，５４もロックされる。したがって、４枚建ての雨戸５４，５４，５５，５５においても、一つの落とし錠３５で施錠・解錠を行えるので、コストを抑えるとともに、施錠・解錠操作が簡単になる。
【００３９】
また、雨戸装置５１では、図９に示すように、外雨戸５５の上框１４ａには、上キャッチャー（上係合部）４０が設けられており、上枠３ａには、この上キャッチャー４０に係脱可能に係合する上キャッチャー受け（上被係合部）４１が設けられている。
さらに、外雨戸５５の下框１４ｂには、下キャッチャー（下係合部）４５が設けられており、下枠３ｂには、この下キャッチャー４５に係脱可能に係合する下キャッチャー受け（下被係合部）４６が設けられている。
【００４０】
そして、図１１（ｂ）に示す雨戸５４，５４，５５，５５の全開時に、下キャッチャー４５が下キャッチャー受け４６に係合するので、雨戸５４，５４，５５，５５を開状態の位置でロックできる。また、下キャッチャー４５が下キャッチャー受け４６に係合することによって、外雨戸５５，５５の下端部が保持されるとともに、外雨戸５５，５５にうち雨戸５４，５４は下スライドレール３０を介して連結されているので、雨戸５４，５４，５５，５５の転びを防止できる。
また、雨戸５４，５４，５５，５５を閉方向にスライドさせると、下キャッチャー４５が下キャッチャー受け４６から外れるので、雨戸の開ロック状態を容易に解除できる。
【００４１】
また、雨戸５４，５４，５５，５５を閉方向に向けて閉じるようにスライドさせていくと、図１１（ａ）に示す雨戸５４，５４，５５，５５の全閉時に、上キャッチャー４０が上キャッチャー受け４１に係合するので、雨戸５４，５４，５５，５５を閉状態の位置で別々にロックできる。したがって、一方の雨戸５４，５５だけを閉状態の位置にロックできる。
また、雨戸５４，５４，５５，５５を開方向にスライドさせると、上キャッチャー４０が上キャッチャー受け４１から外れるので、雨戸５４，５４，５５，５５の閉ロック状態を容易に解除できる。
【００４２】
なお、両開きの雨戸を備えた雨戸装置１，５１では、上下のキャッチャー４０，４５、上下のキャッチャー受け４１，４６を設けたが、図１２に示すような片引きの雨戸５を備えた雨戸装置では、雨戸５の下端部（Ａで示す部分）だけに下キャッチャーを設け、下枠３ｂに下キャッチャー受けを設けて、雨戸５の全開時に雨戸の下端部を保持して、雨戸の転びを防止すればよい。
雨戸５の全閉時には、前記落とし錠３５によって雨戸５をロックできるので上キャッチャー、上キャッチャー受けは設けなくてもよい。
また、上記第１および第２の実施の形態では、下ガイドレール３０，６０，６１によって雨戸５，５４，５５の下端部を支持したが、下ガイドレール３０，６０，６１は省略してもよい。
【図面の簡単な説明】
【００４３】
【図１】本発明の第１の実施の形態に係る雨戸装置を示すもので、全閉時の室外側正面図である。
【図２】同、全開時の室外側正面図である。
【図３】同、雨戸装置の縦断面図である。
【図４】同、雨戸装置の平断面図である。
【図５】同、キャッチャーを示すもので、（ａ）は側面図、（ｂ）は平面図、（ｃ）は底面図、（ｄ）は正面図、（ｅ）はキャッチャーを上框に取り付けた状態を示す正面図、（ｆ）はキャッチャーを下框に取り付けた状態を示す正面図である。
【図６】同、キャッチャー受けを示すもので、（ａ）は側面図、（ｂ）は平面図、（ｃ）は正面図である。
【図７】同、（ａ）は雨戸の全閉状態を示す正面図、（ｂ）雨戸の全開状態を示す正面図である。
【図８】同、（ａ）はキャッチャーがキャッチャー受けに係合している状態を示す図、（ｂ）はキャッチャーがキャッチャー受けから外れている状態を示す図である。
【図９】本発明の第２の実施の形態に係る雨戸装置を示すもので、雨戸装置の縦断面図である。
【図１０】同、雨戸装置の平断面図である。
【図１１】同、（ａ）は雨戸の全閉状態を示す正面図、（ｂ）雨戸の全開状態を示す正面図である。
【図１２】片引きの雨戸装置を示すもので、（ａ）は雨戸の全閉状態を示す正面図、（ｂ）雨戸の全開状態を示す正面図である。
【符号の説明】
【００４４】
１，５１，７１  雨戸装置
２，５２  窓
３ａ，５３ａ  上枠
３ｂ，５３ｂ  下枠
３，５３  枠
５，５４，５５  雨戸
４０  上キャッチャー（上係合部）
４１  上キャッチャー受け（上被係合部）
４５  下キャッチャー（下係合部）
４６  下キャッチャー受け（下係合部）
【図１】
2007120151.tif 000003
【図２】
2007120151.tif 000004
【図３】
2007120151.tif 000005
【図４】
2007120151.tif 000006
【図５】
2007120151.tif 000007
【図６】
2007120151.tif 000008
【図７】
2007120151.tif 000009
【図８】
2007120151.tif 000010
【図９】
2007120151.tif 000011
【図１０】
2007120151.tif 000012
【図１１】
2007120151.tif 000013
【図１２】
2007120151.tif 000014